(57)【要約】【課題】下枠の上面に溜まった水を効率よく排水することができる開口部装置を提供する。【解決手段】開口部に設けた枠体に障子又はドアを備え、枠体の下枠１３に立ち上がり部３１を備え、この立ち上がり部３１に排水用の開口３３を備え、この開口３３には下枠１３の上面２３Ａとの間に所定の隙間δを形成して延びる延出部３５Ａを備えた。【選択図】      図４
2004183414.tif 000002
【特許請求の範囲】
【請求項１】
洗い場と脱衣室との間に位置する開口部に枠体を設け、この枠体内に障子又は扉を設けることにより出入り口を形成してなる開口部装置であって、前記枠体の下枠の洗い場側には洗い場床面よりも上方に立ち上がる立ち上がり部を設け、この立ち上がり部には、洗い場側に開口する排水口を設け、この排水口には、前記下枠の上面との間に所定の隙間を形成して延びる延出部を備えたことを特徴とする開口部装置。
【請求項２】
前記排水口には、この排水口から排出される水を下方に案内する案内部を設けたことを特徴とする請求項１記載の開口部装置。
【請求項３】
前記延出部と前記案内部とを一体形成した排水ピースを備え、この排水ピースを前記排水口に着脱自在に保持したことを特徴とする請求項２記載の開口部装置。
【発明の詳細な説明】
【０００１】
【発明の属する技術分野】
本発明は、例えば浴室、シャワールーム等の出入り口に設けられ、枠体の下枠に排水用の開口を備えた開口部装置に関する。
【０００２】
【従来の技術】
一般に、浴室、シャワールーム等の出入り口に設けられ、障子又はドアを開閉自在に有した枠体を備え、この枠体の下枠の立ち上がり部に排水用の開口を備えた、例えば、浴室片引き戸等の開口部装置が知られている（例えば、特許文献１参照）。この種のものでは、浴室内の水が、障子又はドアにあたって下方に流れて、枠体の下枠の上面に溜まる。この上面に溜まった水を、浴室側に排水するために、下枠が浴室側に傾いて形成されており、下枠の浴室側の立ち上がり部には上記のように排水用の開口が設けられる。
【０００３】
【特許文献１】
特開平１１−２８７０６９号公報
【０００４】
【発明が解決しようとする課題】
しかし、浴室、シャワールーム等の出入り口では、その状況によって、下枠を浴室側に傾ける角度をあまり大きくとることができず、しかも排水用の開口を大きくとれない場合、下枠に溜まった水の量が少なくなると、水の流出する勢いが失われ、当該開口が表面張力によって塞がれて、下枠に溜まった水を浴室側に効率よく排水できなくなるという問題がある。
【０００５】
そこで、本発明の目的は、下枠の上面に溜まった水を効率よく排水することができる開口部装置を提供することにある。
【０００６】
【課題を解決するための手段】
上記目的を達成するため、請求項１記載の発明は、洗い場と脱衣室との間に位置する開口部に枠体を設け、この枠体内に障子又は扉を設けることにより出入り口を形成してなる開口部装置であって、前記枠体の下枠の洗い場側には洗い場床面よりも上方に立ち上がる立ち上がり部を設け、この立ち上がり部には、洗い場側に開口する排水口を設け、この排水口には、前記下枠の上面との間に所定の隙間を形成して延びる延出部を備えたことを特徴とする。
【０００７】
請求項２記載の発明は、請求項１記載のものにおいて、前記排水口には、この排水口から排出される水を下方に案内する案内部を設けたことを特徴とする。
【０００８】
これらの発明では、排水用の開口に、下枠の上面との間に所定の隙間を形成して延びる延出部を備えたため、この隙間が上面に溜まった水を毛細管現象によって吸い出すことにより、勢いのよい排水が行われる。所定の隙間から排出される水を下方に案内する案内部を備えた場合、この案内部に沿って吸い出された水が、その自重によって落下し、この水の落下の勢いで隙間からの排水の勢いを更に増すことができる。
【０００９】
請求項３記載の発明は、請求項２記載のものにおいて、前記延出部と前記案内部とを一体形成した排水ピースを備え、この排水ピースを前記排水口に着脱自在に保持したことを特徴とする。
【００１０】
この発明では、この排水ピースを取り外すことにより、そこに詰まった塵埃等を簡単に除去することができる。
【００１１】
【発明の実施の形態】
以下、本発明の一実施形態を添付図面に従って説明する。
【００１２】
図１は、浴室片引き戸の開口部装置を示す。この浴室片引き戸１は、浴室の洗い場出入り口２に設けられ、障子３（図２参照）をスライド自在に有したアルミニウム押し出し型材製の枠体５を備えて構成される。この枠体５は障子部５Ａと戸袋部５Ｂとを備える。この枠体５は左右一対の縦枠７，８と、方立９と、上枠１１と、下枠１３とを備え、これらを四方枠組みして構成される。
【００１３】
上記戸袋部５Ｂには、樹脂製又は木質製の戸袋パネル（不図示）が張られている。図１中で、手前側が洗い場１７、奧側が脱衣室１９である。
【００１４】
図２は、障子部５Ａの縦断面図である。上枠１１の天面のレール１１Ａと、下枠１３の上面のレール１３Ａとの間に、上記障子がスライド自在に配置されている。２１は戸車である。
【００１５】
上記下枠１３は、縦枠７と方立９間において、それ以外の部分よりも洗い場１７側に張り出す張り出し部２３を一体的に有し、この張り出し部２３の上面には、アルミニウム製の下枠カバー２５が取り付けられている。この下枠カバー２５の両端部には、図３に示すように、一対のゴム製のシール部材２７が固定され、この下枠カバー２５が張り出し部２３の上面に取り付けられる場合、このシール部材２７の突片２７Ａが、縦枠７又は方立９の各対向面に接触し、下枠カバー２５と、縦枠７又は方立９間のシール性が増される。
【００１６】
上記構成では、図４に示すように、張り出し部２３の洗い場側側縁に、洗い場床面よりも上方に立ち上がり、一対の縦枠７，８間一杯に亘って延びる立ち上がり部３１（図２参照）が形成され、この立ち上がり部３１には、適当な間隔をあけて、図５に示すように、複数の開口（排水口）３３が形成されている。この開口３３の底辺３３Ａは、張り出し部２３の上面２３Ａと面一に形成されている。この開口３３には、図４〜図６に示すように、排水ピース３５が取り付けられる（図５参照）。この排水ピース３５は、この開口３３に当該排水ピース３５が取り付けられた場合、張り出し部２３の上面２３Ａとの間に所定の隙間δを形成して延びる延出部３５Ａと、この延出部３５Ａに一体につながり、当該隙間δの出口に対向して配置され、この隙間δから排出される水を下方に案内する案内部３５Ｂとを備えて構成される。図６において、３６は排水ピース３５を開口３３に取り付けるための爪部材である。所定の隙間δは、実証試験によると、約１ｍｍが好適であり、１〜２ｍｍが望ましい。また、案内部３５Ｂの内面と、張り出し部２３の端面間の距離Ｌは、実証試験によると、上記所定の隙間δよりも大きい、例えば２〜８ｍｍが望ましい。
【００１７】
上記排水ピース３５が、この開口３３に取り付けられた場合、延出部３５Ａよりも上に開口３３の一部が開口３３Ａする。
【００１８】
つぎに、開口３３からの排水動作を説明する。
【００１９】
上記構成では、洗い場１７内で水を使用した場合、この水が、障子３にあたって下方に流れ、張り出し部２３の上面２３Ａに溜まる（図４参照）。この上面２３Ａに溜まった水は、その量が多い間、延出部３５Ａよりも上の大きな開口３３Ａと、上述した所定の隙間δとを通じて、洗い場１７側に排水され、上面２３Ａに溜まった水の量が少なくなると、隙間δだけを通じて排水される。
【００２０】
この隙間δを通じて排水される場合、当該隙間δの大きさが１ｍｍ程度と小さいため、まず、この隙間δに毛細管現象によって、張り出し部２３の上面２３Ａに溜まった水が浸入する。ここに浸入した水は、その出口に形成された案内部３５Ｂの水平部３５Ｃに沿って流出する。ここに流出した水は、その自重によって落下し、これが一旦落下すると、その勢いで隙間δに浸入する水の量が増し、これによって効率よく排水される。
【００２１】
図７及び図８は、それぞれ別の実施形態を示す。
【００２２】
図７において、張り出し部２３の立ち上がり部３１には、排水用開口３３が形成され、この開口３３には、排水ピース１３５が取り付けられる。
【００２３】
この排水ピース１３５は、張り出し部２３の上面２３Ａとの間に所定の隙間δを形成して延びる延出部１３５Ａと、当該隙間δの出口に対向して配置され、この隙間δから排出される水を下方に案内する案内部１３５Ｂとを備えて構成される。所定の隙間δは、上記のように約１ｍｍが好適であり、１〜２ｍｍが望ましい。また、案内部１３５Ｂの内面と、張り出し部２３の端面間の距離は、上記所定の隙間δよりも大きい、例えば２〜８ｍｍが望ましい。
【００２４】
この排水ピース１３５が、この開口３３に取り付けられた場合、延出部１３５Ａよりも上に開口３３の一部が開口３３Ａする。この実施形態の排水メカニズムは、上記実施形態のそれと同じである。
【００２５】
図８では、張り出し部２３の立ち上がり部３１に、大きさの異なる二種類の開口１３３Ａ，１３３Ｂが、夫々複数個設けられる。そして、一方の開口１３３Ａに、排水ピース１３５が取り付けられ、他方の開口１３３Ｂは、排水ピース１３５が取り付けられず、開口したままである。ここで、排水ピース１３５の構成は、図７のものとほぼ同じである。
【００２６】
この実施形態では、張り出し部２３の上面２３Ａに溜まった水は、その量が多い間、他方の開口１３３Ｂと、一方の開口１３３Ａに排水ピース１３５で形成された隙間δとを通じて、洗い場１７側に排水され、上面２３Ａに溜まった水の量が少なくなると、隙間δだけを通じて排水される。
【００２７】
この隙間δを通じて排水される場合、当該隙間δの大きさが１ｍｍ程度と小さいため、まず、この隙間δに毛細管現象によって、張り出し部２３の上面２３Ａに溜まった水が浸入する。ここに浸入した水は、その出口に形成された案内部１３５Ｂに沿って流出する。ここに流出した水は、その自重によって落下し、これが一旦落下すると、その勢いで隙間δに浸入する水の量が増し、これによって効率よく排水される。
【００２８】
上記隙間δの大きさは１ｍｍ程度と小さいため、その隙間δに塵埃等が詰まる恐れがある。各実施形態では、排水ピースが、それぞれの開口に取り外し自在に設けられるため、この排水ピースを取り外すことにより、そこに詰まった塵埃等を簡単に除去できる。ただし、この排水ピースは、必ずしも取り外し自在でなくてもよい。上記隙間δが確保されれば、例えば、上記開口に延出部と、案内部とを一体に形成してもよい。
【００２９】
図９は、さらに別の実施形態を示す。
【００３０】
上記各実施形態では、排水ピース３５，１３５が、それぞれ案内部３５Ｂ，１３５Ｂを備えていたが、これは必須のものではなく、図９に示すように、排水ピース１３５が、延出部１３５Ａのみで構成されて、案内部１３５Ｂが省略されたものであってもよい。
【００３１】
以上、一実施形態に基づいて本発明を説明したが、本発明は、これに限定されるものでないことは明らかである。上記実施形態では、浴室片引き戸１について説明したが、これに限定されるものではなく、引き戸、ドア、折れ戸等にも適用可能なことは云うまでもない。
【００３２】
【発明の効果】
本発明では、下枠の上面に溜まった水を効率よく排水できる。
【図面の簡単な説明】
【図１】本発明の一実施形態を示す斜視図である。
【図２】同じく障子部の縦断面図である。
【図３】下枠を拡大して示す斜視図である。
【図４】下枠の縦断面図である。
【図５】排水ピースの取り付け状態を示す正面図である。
【図６】排水ピースの取り付け状態を示す平面図である。
【図７】別の実施形態を示す斜視図である。
【図８】別の実施形態を示す斜視図である。
【図９】別の実施形態を示す斜視図である。
【符号の説明】
１  浴室片引き戸
２  出入り口
５  枠体
１３  下枠
２３  張り出し部
２５  下枠カバー
３１  立ち上がり部
３３  開口
３５，１３５  排水ピース
３５Ａ，１３５Ａ  延出部
３５Ｂ，１３５Ｂ  案内部
【図１】
2004183414.tif 000003
【図２】
2004183414.tif 000004
【図３】
2004183414.tif 000005
【図４】
2004183414.tif 000006
【図５】
2004183414.tif 000007
【図６】
2004183414.tif 000008
【図７】
2004183414.tif 000009
【図８】
2004183414.tif 000010
【図９】
2004183414.tif 000011